(57)【特許請求の範囲】
【請求項１】
ローラの上下一方に第１のディスクが挿入され、前記ローラの上下他方に前記第１のディスクより幅の狭い第２のディスクが挿入され、前記ローラで前記第１のディスクと前記第２のディスクのローディングを兼用するディスクドライブ装置において、
前記ローラ全体を移動可能にし、該移動により前記ローラを前記第１のディスクに圧接させるとともに、前記ローラの一端を支点として他端を揺動可能にし、該揺動により前記ローラを前記第２のディスクに圧接させることを特徴とするディスクドライブ装置。
【請求項２】
前記ローラの支点となる一端よりも揺動可能な他端に近い位置で前記第２のディスクをローディングすることを特徴とする請求項１に記載のディスクドライブ装置。
【請求項３】
ローラの前記両端が中央より太くなっていることを特徴とする請求項１または請求項２に記載のディスクドライブ装置。
【発明の詳細な説明】
【０００１】
【発明の属する技術分野】
本発明は、ディスクに圧接されるローラの回転によりローディングを行うディスクドライブ装置に関する。
【０００２】
【従来の技術】
一つの筐体に、夫々ローディング用のローラと再生用のヘッドを備えたＭＤ（Ｍｉｎｉ  Ｄｉｓｋ）とＣＤ（Ｃｏｍｐａｃｔ  Ｄｉｓｋ）の再生装置が市販されている。そして、車載用として、より小型化するために、ヘッドをＭＤ／ＣＤ共通にすることが考えられた（特開平１０−３４０５１２号公報参照）。
【０００３】
【発明が解決しようとする課題】
更に小型化にするために、ＭＤの挿入口とＣＤの挿入口の間に１つのローディング用ローラを配設して、これをＭＤ／ＣＤ共用にすることを検討すると、２つの問題があった。一つは、ローラをＭＤに圧接させる方向とＣＤに圧接させる方向が逆であるために、双方向共、平行移動可能に圧接する構成が複雑になるという問題である。また、図４０に示すごとく、ＭＤ用のターンテーブルとＣＤ用のターンテーブルは所定以上離間しなければならず、車載用の装置は１ＤＩＮオーディオサイズ（幅１７８ｍｍ×高さ５０ｍｍ）という条件から、ＭＤの挿入は中央ではない。そして、ＣＤのキズ防止や確実にＣＤの両端を圧接して搬送させるためにローラの中央部が細くなっている（特開平１０−３４０５１２号公報参照）。このような装置ではＭＤが中央から挿入されないために、ＭＤの左右一方しか圧接されないというのがもう一つの問題である。
【０００４】
【課題を解決するための手段】
本発明のディスクドライブ装置はかかる点に鑑みなされたもので、ローラの上下一方に第１のディスクが挿入され、前記ローラの上下他方に前記第１のディスクより幅の狭い第２のディスクが挿入され、前記ローラで前記第１のディスクと前記第２のディスクのローディングを兼用するディスクドライブ装置において、
前記ローラ全体を移動可能にし、該移動により前記ローラを前記第１のディスクに圧接させるとともに、前記ローラの一端を支点として他端を揺動可能にし、該揺動により前記ローラを前記第２のディスクに圧接させる。
【０００６】
【発明の実施の形態】
本発明の実施例を図面に基づき説明する。本実施例の装置は８ｃｍＣＤ（Ｃｏｍｐａｃｔ  Ｄｉｓｋ）と１２ｃｍＣＤの他、ＭＤ（Ｍｉｎｉ  Ｄｉｓｋ）も共通のヘッドで再生可能な１ＤＩＮオーディオサイズ（ドイツ規格）の再生装置である。図１は実施例のブロック図である。本実施例のディスクドライブ装置はメカ（１）と、メカ（１）を制御する制御回路（２）と、制御回路（２）の動作プログラムを記憶したＲＯＭ（３）と、制御回路（２）の動作に必要な情報を記憶するＲＡＭ（４）とからなる。
【０００７】
図２はメカ（１）の構成を示す平面図であり、図３はこの正面図であり、図４はこの右側面図である。図５はディスクの挿入位置を示す平面図であり、図６はこの右側面図であり、図７はこの左側面図である。
【０００８】
図８はローラ用の駆動部（１４）を示す正面図であり、図９はその左側面図である。図１０はローラの左方の保持方法を示す部分左側面図である。
【０００９】
図１１はＭＤ用の後部のスイッチを示す左側面図である。図１２はＭＤ引き込みの第１の状態を示す平面図である。図１３はＭＤ引き込みの第２の状態を示す平面図であり、図１４はこの左側面図であり、図１５は図１４の要部の部分拡大図である。
【００１０】
図１６はＭＤ引き込みの第３の状態を示す平面図であり、図１７はこの左側面図であり、図１８は図１７の要部の部分拡大図である。図１９はＭＤ引き込みの終了状態を示す平面図であり、図２０はこの正面図であり、図２１はこの左側面図である。図２２はＭＤのクランプ状態を示す左側面図である。図２３はＭＤの排出状態を示す左側面図である。
【００１１】
図２４はＣＤ引き込みの第１の状態を示す平面図である。図２５はＣＤ引き込みの第２の状態を示す右側面図である。図２６は８ｃｍＣＤ引き込みの第３の状態を示す平面図であり、図２７は図２６の要部の詳細図である。図２８は８ｃｍＣＤ引き込みの終了状態を示す平面図であり、図２９は図２８の要部の詳細図である。図３０は１２ｃｍＣＤ引き込みの第３の状態を示す平面図であり、図３１は図３０の要部の詳細図である。図３２は１２ｃｍＣＤ引き込みの第４の状態を示す平面図であり、図３３は図３２の要部の詳細図である。図３４は１２ｃｍＣＤ引き込みの終了状態を示す平面図であり、図３５は図３４の要部の詳細図である。図３６はＣＤ用のターンテーブルの移動を示す平面図である。図３７はスライド板のスライド機構を示す平面図である。図３８は１２ｃｍＣＤのクランプ状態を示す右側面図である。図３９はＣＤの排出状態を示す平面図である。図４０はＣＤ用のターンテーブル（７２）の移動理由を示す図である。
【００１２】
図１に示す如く、メカ（１）はＭＤやＣＤを自動的に挿入あるいは排出するローディング部（１０）と、ローディングされたＭＤやＣＤを夫々のターンテーブル（図５の７１）（図５の７２）に保持させるクランプ部（４０）と、クランプされたＭＤやＣＤから音響などの情報を読み出す再生部（７０）とからなる。
【００１３】
まず、ローディングに於いて、図６に示す如く、ＭＤはローラ（１１）とローラ（１１）の下側に配設されるＭＤトレイ（１２）の間に挿入され、ＣＤはローラ（１１）とローラ（１１）の上側に配設されるＣＤガイド（１３）の間に挿入される。このように、ＭＤ，ＣＤのローディングを兼用するローラ（１１）は、金属製の軸（１１１）と、該軸（１１１）を軸とする円筒形のゴム部（１１２）からなる。図５，８に示す如く、ゴム部（１１２）の中央の直径は両端に比べて細くなっている。これにより、円盤形状のＣＤを容易に挿入することができ、また、ＣＤの両端に搬送力を加えて安定した搬送を行うことができる。
【００１４】
図５〜８に示す如く、ローラ（１１）は、ローラ保持金具（１４）によりローラ保持金具（１４）の軸孔（１４ａ）を中心に揺動可能に保持される。そして、図５〜７に示す如く、ローラ保持金具（１４）の左と右に係合された左右のローラ用のバネ（１５Ｌ）（１５Ｒ）により、ローラ（１１）は上方向に付勢される。図６に示す如く、ローラ（１１）の軸（１１１）に係合したリンク（４４２）が軸孔（４４２ａ）を中心に揺動可能に軸支され、バネ（１５Ｌ）（１５Ｒ）により、図６から見て反時計方向に付勢される。このリンク（４４２）の反時計方向の回転は、リンク（４４２）に設けられた軸（４４２１）が、図４に示す如く、スライド板（４４１）のローラ用の昇降孔（４４１ａ）の上部に当接することにより、阻止される。これにより、上方向に付勢されるローラ（１１）の位置が保持される。図４に示す如く、スライド板（４４１）の孔（４４１ａ）はリンク（４４２）の軸（４４２１）より僅か大きくなっており、これにより、ローラ（１１）はローラ用のバネ（１４）（１５）の付勢に抗して下方に揺動可能である。ＣＤが挿入される前のローラ（１１）の中央部とＣＤガイド（１３）の隙間は０．５ｍｍであり、ローラ（１１）の端部とＣＤガイド（１３）の隙間は０ｍｍである。従って、板厚１．２ｍｍのＣＤは、ローラ（１１）が下方に揺動することによって、ローラ（１１）とＣＤガイド（１３）の間に入る。
【００１５】
また、ローラ（１１）が嵌入されるローラ保持金具（１４）の左右の軸孔（１４ｂ）（１４ｃ）は、右方（１４ｃ）は円形であるが、図１０，１５に示す如く、左方（１４ｂ）は軸孔（１３ａ）を円弧の中心とする円弧形の長孔になっている。そして、ローラ（１１）の左方は、押さえバネ（１６）により下方に付勢される。これにより、ローラ（１１）は右方を支点として、左方が押さえバネ（１８）に抗して上方に揺動可能である。ＭＤが挿入される前のローラ（１１）とＭＤトレイ（１１）の隙間は両端で約３．５ｍｍである。従って、実測４．５ｍｍ厚のＭＤは、ローラ（１１）の左方が上方に揺動することによって、ローラ（１１）とＭＤトレイ（１１）の間に入る。そして、ＭＤが挿入され、ローラ（１１）がＣＤに対して傾斜した状態では、ＭＤの左端だけでなく右端もローラ（１１）に圧接するように、ローラ（１１）のゴム部（１１２）の直径が設計されている（図２０参照）。これにより、ローラ（１１）はＭＤの両端に搬送力を加えることができ、安定した引き込みと排出を行うことができる。
【００１６】
図５，８，９に示す如く、ローラ（１１）はローラ用の駆動部（１７）により右側面から見て右回転あるいは左回転させられる。ここで、右回転とはローラ（１１）の上部に挿入されたＣＤを装置内に引き込む回転方向であり、左回転とはローラ（１１）の下部に挿入されたＭＤを装置内に引き込む回転方向である。ローラ用の駆動部（１７）はモータ（１７１）と、モータ（１７１）の回転を伝動する歯車部（１７２）と、歯車部（１７２）の回転をローラ（１１）に伝動するベルト（１７３）からなる。図９に示す如く、ベルトが掛けられる歯車部（１７２）の最終歯車はローラ（１１）の揺動支点であるローラ保持金具（１４）の軸孔（１４ａ）と同心になっている。このために、ローラ（１１）が揺動しても、ベルト（１７３）の張力は変化せず、支障なく歯車部（１７２）の回転をローラ（１１）に伝動することができる。
【００１７】
図５〜８に示す如く、ＭＤが乗せられるＭＤトレイ（１２）はその左方に設けられた軸（１２１）がローラ保持金具（１４）の左方の軸孔（１４ｄ）に、右方に設けられた軸（１２２）がローラ保持金具（１４）の右方の軸孔（１４ｅ）に嵌入される。これにより、ＭＤトレイ（１２）は、ローラ（１１）の左方に保持され、ローラ（１１）と共にローラ保持金具（１４）の軸孔（１４ａ）を中心に回動する。
【００１８】
図５，１１に示す如く、ＭＤ用の前部のスイッチ（１８）がＭＤ挿入部の前部に、ＭＤ用の後部のスイッチ（１９）がＭＤ挿入部の後部に配設される。図１２，１８に示す如く、夫々、ＭＤにより回動するレバー（２０）（２１）で、ＯＦＦからＯＮに切り替わり、図１に示す如く、この信号を制御回路（２）に出力する。前部のスイッチ（１８）は、図１２に示す如く、ＭＤがローラ（１１）に達する前にＯＮとなる位置に配設され、且つ、図１９に示す如く、ＭＤのディスク中心が再生部（７０）のＭＤ用ターンテーブル（７１）の中心の上まで搬送されると、即ちＭＤがローディングの終了位置になると、ＯＦＦとなる位置に前部のスイッチ（１８）が配設される。後部のスイッチ（１９）は、ローラ（１１）の後部に配設され、図２３に示す如く、ＭＤの排出時に使用者がＭＤを取り出すのに適した位置でＯＮからＯＦＦに切り替わるような位置に配設される。
【００１９】
図５に示す如く、ＣＤ用の前部の光センサ（２２）がローラ（１１）の前部に、ＣＤ用の後部の光センサ（２３）がローラ（１１）の後部に配設される。夫々の、図４３の如く、光を発する発光素子と、発光素子からの光を受光する受光素子とからなる。発光素子はＣＤの上側に配設され、受光素子はＣＤの下側に配設される。そして、図１に示す如く、夫々の光センサ（２２）（２３）は受光素子が発光素子からの光を受光できたか否かを制御回路（２）に出力する。ここでは、ＣＤによって発光素子からの光が遮られることなく受光素子に受光される状態を光センサがＯＦＦといい、ＣＤによって発光素子からの光が遮られて受光素子に受光されない状態を光センサがＯＮという。前部の光センサ（２２）は、図２４に示す如く、ＣＤがローラ（１１）に達する前にＯＮとなる位置に配設される。後部の光センサ（２３）は、図３９に示す如く、ＣＤの排出時に使用者がＣＤを取り出すのに適した位置でＯＮからＯＦＦに切り替わるような位置に配設される。
【００２０】
図２４に示す如く、ストッパ用の取付金具（３０）の上面に左右１対の１２ｃｍ用のストッパ（３１Ｌ）（３１Ｒ）がその軸孔（３１Ｌａ）（３１Ｒａ）を中心に回動可能に軸支される。左方の１２ｃｍ用のストッパ（３１Ｌ）に設けられた長孔（３１Ｌｂ）に、右方の１２ｃｍ用のストッパ（３１Ｒ）に設けられた凸部（３１Ｒｂ）が係合することにより、図２４，３４の如く、回動が連動する。即ち、一方の１２ｃｍ用のストッパ（３１Ｌ）（３１Ｒ）が回動しようとする場合、他方の１２ｃｍ用のストッパ（３１Ｒ）（３１Ｌ）の回動がロックされていると一方の１２ｃｍ用のストッパ（３１Ｌ）（３１Ｒ）は回動せず、他方の１２ｃｍ用のストッパ（３１Ｒ）（３１Ｌ）の回動が許容されていると他方の１２ｃｍ用のストッパ（３１Ｒ）（３１Ｌ）も回動する。
【００２１】
左右の１２ｃｍ用のストッパ（３１Ｌ）（３１Ｒ）には夫々８ｃｍ用のストッパ（３２Ｌ）（３２Ｒ）がその軸孔（３２Ｌａ）（３２Ｒａ）を中心に回動可能に軸支されている。そして、一端を左右の１２ｃｍ用のストッパ（３１Ｌ）（３１Ｒ）に、他端を８ｃｍ用のストッパ（３２Ｌ）（３２Ｒ）に係止されたストッパ用のバネ（３３Ｌ）（３３Ｒ）により左方の８ｃｍ用のストッパ（３２Ｌ）は反時計方向に、右方の８ｃｍ用のストッパ（３２Ｒ）は時計方向に回転力が付勢される。この付勢力により、８ｃｍ用のストッパ（３２Ｌ）（３２Ｒ）に設けられたロックツメ（３２Ｌｂ）（３２Ｒｂ）がストッパ用の取付金具（３０）に設けられたロック用の切欠き（３０ａＬ）（３０ａＲ）に係合させられる。ロックされている状態では１２ｃｍ用のストッパ（３１Ｌ）（３１Ｒ）の回動が阻止される。
【００２２】
８ｃｍ用のストッパ（３２Ｌ）（３２Ｒ）がバネ（３３Ｌ）（３３Ｒ）に抗して回転するとロックが解除して１２ｃｍ用のストッパ（３１Ｌ）（３１Ｒ）が回動可能になる。図３０，３１に示す如く、左方の８ｃｍ用のストッパ（３２Ｌ）は軸孔（３２Ｌａ）の左方に凸部（３２Ｌｃ）を有し、右方の８ｃｍ用のストッパ（３２Ｒ）は軸孔（３２Ｒａ）の右方に凸部（３２Ｒｃ）を有する。これらの凸部（３２Ｌｃ）（３２Ｒｃ）は前方に延在し、その長さは、図２６，２７に示す如く、搬送される８ｃｍＣＤには当接せず、図３０，３１に示す如く、搬送される１２ｃｍＣＤに当接する長さになっている。これにより、８ｃｍＣＤが搬送されても８ｃｍ用のストッパ（３２Ｌ）（３２Ｒ）は回動しないためにロックは解除されず、１２ｃｍＣＤが搬送されたときに８ｃｍ用のストッパ（３２Ｌ）（３２Ｒ）が回動してロックが解除し、１２ｃｍ用のストッパが回動する。
【００２３】
左方の１２ｃｍ用のストッパ（３１Ｌ）には８ｃｍスイッチ用のレバー（３４）がその軸孔（３４ａ）を中心に回動可能に軸支される。一端を左方の１２ｃｍ用のストッパ（３１Ｌ）に、他端を８ｃｍスイッチ用のレバー（３４）に係止されたスイッチ用のバネ（３５）により８ｃｍスイッチ用のレバー（３４）は時計方向に回転力が付勢される。この回転はストッパ用の取付金具（３０）に設けられた凸部（３０ｂ）で阻止される。このスイッチ用のバネ（３５）の付勢力は８ｃｍスイッチ用のレバー（３４）を介して、左方の１２ｃｍ用のストッパ（３１Ｌ）を反時計方向に、右方の１２ｃｍ用のストッパ（３１Ｒ）を時計方向に回転させる力となる。８ｃｍスイッチ用のレバー（３４）の一端には８ｃｍディスクが当接する当接部（３４ｂ）が設けられ、他端側には８ｃｍ用のスイッチ（３６）を押さえる押圧部（３４ｃ）が設けられる。
【００２４】
図２４，３４に示す如く、左方の１２ｃｍ用のストッパ（３１Ｌ）が所定の位置まで回動したとき、ＯＦＦからＯＮに切り替わるように１２ｃｍ用のスイッチ（３７）が配設される。
【００２５】
ところで、本装置はＭＤとＣＤを共通のヘッドで読み取り可能な１ＤＩＮオーディオサイズの再生装置である。このために、図４０に示す如く、ＭＤ用のターンテーブル（７１）とＣＤ用のターンテーブル（７２）の間はヘッド（７３）が移動できる所定の寸法Ｌ１（約７３ｍｍ）以上でなければならない。そうすると、クランプされたＭＤとＣＤが占める領域の幅は所定の寸法Ｌ２（約１６７ｍｍ）以上でなければならない。一方、１ＤＩＮオーディオサイズ（幅１７８ｍｍ×高さ５０ｍｍ）という条件から、ＭＤとＣＤの挿入口の幅は所定の寸法Ｌ３（約１２７ｍｍ）以下でなければならない。ここで、Ｌ２＞Ｌ３となり、Ｌ２をＭＤとＣＤの挿入口の幅にすることはできない。このために、図３６に示す如く、ＣＤモードでの再生時は、ターンテーブル（７１）（７２）やヘッド（７３）を含む再生部（７０）を、軸孔（７４）を中心に反時計方向に回動させた後にクランプを行い、ＭＤモードでの再生時は再生部（７０）を回動させることなく、クランプを行う。
【００２６】
この再生部（７０）の回動やクランプの動作は本発明の要部ではないために、説明は簡単にする。この再生部（７０）の回動はクランプ部（４０）によって行われる。クランプ部（４０）は、制御回路（２）により回転を制御されるモータ（４１）と、モータ（４１）の回転力をドラム（４３１）に伝動する歯車部（４２）と、前記ドラム（４３１）を備え所定のタイミングで再生部（７０）を回動させたり、スライド板（４４１）をスライドさせる変動部（４３）と、前記スライド板（４４１）を備えＭＤやＣＤをクランプするクランク機構（４４）とからなる。
【００２７】
図３６に示す如く、ドラム（４３１）は上部に一部が中心に向かって延在する円周形の溝（４３１ａ）を備え、ドラム（４３１）が所定範囲を回転するとき、溝（４３１ａ）内の軸（４３２１）が中心に向かって延在する部分に入る。このとき軸（４３２）を保持するリンク（４３２）が軸孔（４３２ａ）を中心に回動する。このリンク（４３２）がバネ（４３３）を介して再生部（７０）を回動する。
【００２８】
また、図３７に示す如く、ドラム（４３１）は下部に螺旋状の溝（４３１ｂ）を備え、ドラム（４３１）が回転するとき、溝（４３１ｂ）内の軸（４３４１）が中心に向かって延在する部分に入る。このとき軸（４３４１）を保持するリンク（４３４）が軸孔（４３４ａ）を中心に回動する。このリンク（４３４）が回動すると、リンク（４３４）に固着された軸（４３４２）に係合されたスライド板（４４１）がスライドする。図４に示す如く、スライド板（４４１）にはローラ用のリンク（４４２）の軸（４４２１）が嵌入したローラ用の昇降孔（４４１ａ）と、ストッパ用の取付金具（３０）の軸（３０１）が嵌入したディスク押圧用の昇降孔（４４１ｂ）と、ディスクカバーの取付金具（４４３）の斜面に当接するディスクカバー用の２つの軸（４４１ｃ）（４４１ｄ）を有する。ディスクカバーの取付金具（４４３）は軸孔（４４３ａ）を中心に回動可能に軸支される。この取付金具（４４３）はディスクカバー（図示せず）が取り付けられる金具であり、取付金具（４４３）の回動によりディスクカバーがディスク挿入口の開閉を行う。また、図６に示す如く、ストッパ用の取付金具（３０）は軸孔（３０ｃ）を中心に回動可能に軸支され、前方にディスク押圧部（４４４）が配設される。この構成により、スライド板（４４１）がスライドすると、ローラ用の軸（４４２１）が軸孔（４４２ａ）を中心に揺動してローラ（１１）が上下し、取付金具（３０）の軸（３０１）が軸孔（３０ｃ）を中心に揺動してディスク押圧部（４４４）が上下し、ディスクカバー用の２つの軸（４４１ｃ）（４４１ｄ）が前後に移動することによりディスクカバーの取付金具（４４３）が軸孔（４４３ａ）を中心に回動してディスク挿入口の開閉が行われる。
【００２９】
上述の再生部（７０）の回動やクランプの動作に於いて、ＭＤモードでは制御回路（２）の制御により、変動部（４３）のドラム（４３１）が、初期位置から平面図より見て反時計方向に回転される。すると、変動部（４３）によりスライド板（４４１）が後方にスライドされて、クランク機構部（４４）によりＭＤがクランプされる。そして、ドラム（４３１）がクランプの位置から時計方向に回転されると、クランプが解除される。
【００３０】
ＣＤモードでは制御回路（２）の制御により、ドラム（４３１）が初期位置から時計方向に回転される。すると、再生部（７０）が図５の位置から図３６の位置に時計方向に回動された後、クランプ機構部（４４）のスライド板（４４１）が前方にスライドされて、ＣＤがクランプされる。そして、ドラム（４３１）がクランプの位置から反時計方向に回転されると、クランプが解除され、次いで、再生部（７０）が反時計方向に回動されて、初期位置に戻される。
【００３１】
次ぎに制御回路（２）の動作を説明する。図４１，４２は制御回路（２）の主要な動作を示すフローチャートである。
【００３２】
図４１に於いて、ＭＤ，ＣＤが挿入されていない初期状態は、ＭＤ用の前後のスイッチ（１８）（１９）と、ＣＤ用の８ｃｍ用及び１２ｃｍ用のスイッチ（３６）（３７）と、ＣＤ用の前後の光センサ（２２）（２３）は全てＯＦＦになっている（Ｓ１）。この初期状態で、制御回路（２）はＭＤ用の前部のスイッチ（１８）がＯＮになったか否か（Ｓ２）、ＣＤ用の前部の光センサがＯＮになったか否か（Ｓ２１）を監視する。
【００３３】
使用者により、図１１に示す如く、ＭＤがローラ（１１）とＭＤトレイ（１２）の間に向けて挿入されていくと、図１２に示す如く、ＭＤがローラ（１１）に接する前に、ＭＤにより前部のスイッチ（１８）がＯＮになる（Ｓ２のＹ）。すると、制御回路（２）はＭＤモードと認識し、ローラ（１１）の下側を引き込む方向に（図１４ではローラ（１１）が反時計方向に回転する方向に）ローラ用のモータ（１７１）を回転させる（Ｓ３）。
【００３４】
前述のとおり、ＭＤが挿入されるローラ（１１）とＭＤトレイ（１２）の隙間はＭＤの厚みより僅かに狭い。また、ローラ（１１）は右側を支点にして、左側が押さえバネ（１６）に抗して移動可能に保持されている。よって、ローラ（１１）が回転している状態で、使用者がＭＤをローラ（１１）に接するまで挿入すると、図１５，２０に示す如く、ローラ（１１）の回転力により、ローラ（１１）の左方が押さえバネ（１６）に抗して持ち上がる。そして、押さえバネ（１６）により、ローラ（１１）がＭＤを圧着して、ＭＤを装置の内部に搬送する。
【００３５】
図１８に示す如く、ＭＤが所定距離搬送されると、後部のスイッチ（１９）がＯＮになる（Ｓ４）。図１９に示す如く、更にＭＤが所定距離搬送されると、前部のスイッチ（１８）がＯＦＦに戻る（Ｓ５のＹ）。このとき、後部のスイッチ（１９）はＯＮのままである。制御回路（２）はこの状態を検出すると、ローディング終了と判断して、ローラ（１１）の回転を停止させる（Ｓ６）。そして、制御回路（２）は、前述の如く、ＭＤモードでクランプ部（４０）を制御し、図２２の如く、ＭＤをクランプさせる（Ｓ７）。図２２に示す如く、クランプ時は後部のスイッチ（１９）はＯＦＦになる。
【００３６】
図４１に於いて、制御回路（２）はＥＪＥＣＴ要求の信号を受信すると（Ｓ８）、前述の如く、ＭＤモードでクランプ部（４０）を制御し、ＭＤのクランプを解除させる（Ｓ９）。クランプが解除されると、図２１に状態に戻り、後部のスイッチ（１９）は再びＯＮになる。そして、制御回路（２）は、図２３に示す如く、後部のスイッチ（１９）がＯＦＦになるまで、ステップＳ３とは逆の方向にローラ（１１）を回転させる（Ｓ１０〜Ｓ１２）。
【００３７】
使用者により、図６に示す如く、ＣＤがローラ（１１）とＣＤガイド（１３）の間に向けて挿入されていくと、図２４に示す如く、ＣＤがローラ（１１）に接する前に、前部の光センサ（２２）がＯＮになる（Ｓ２１のＹ）。すると、制御回路（２）はＣＤモードと認識し、ローラ（１１）の上側を引き込む方向に（図２５ではローラ（１１）が反時計方向に回転する方向に）ローラ用のモータ（１７１）を回転させる（Ｓ２２）。
【００３８】
前述のとおり、ＣＤが挿入されるローラ（１１）とＣＤガイド（１３）の隙間はＣＤの厚みより僅かに狭い。また、ローラ（１１）は左右のローラ用のバネ（１５Ｌ）（１５Ｒ）に抗して下方向に揺動可能に保持されている。よって、ローラ（１１）が回転している状態で、使用者がＣＤをローラ（１１）に接するまで挿入すると、図２５に示す如く、ローラ（１１）の回転力により、ローラ（１１）がローラ用のバネ（１５Ｌ）（１５Ｒ）に抗して下がる。そして、ローラ用のバネ（１５Ｌ）（１５Ｒ）により、ローラ（１１）がＣＤを圧着して、ＣＤを装置の内部に搬送する。
【００３９】
搬送されるＣＤが８ｃｍＣＤの場合について説明する。８ｃｍＣＤが所定距離搬送されると、後部の光センサ（２３）がＯＮになる（Ｓ２３）。更に８ｃｍＣＤの搬送が進み、図２６，２７の状態から図２８，２９の状態になると、８ｃｍＣＤは、８ｃｍスイッチ用のレバー（３４）をバネ（３５）の付勢力に抗して反時計方向に回転させる。すると、８ｃｍ用のスイッチ（３６）がＯＮに切り替わる（Ｓ２４のＹ）。これにより、制御回路（２）は挿入されたものが８ｃｍＣＤであると認識して、ＣＤ用ターンテーブルのモータ（７６）を回転させるゲインを８ｃｍ用に設定する（Ｓ２５）。また、ローディング終了と判断しローラの回転を停止させ（Ｓ２６）、ステップＳ２７に進む。一方、前述のとおり、８ｃｍＣＤが搬送されても、８ｃｍ用のストッパ（３２Ｌ）（３２Ｒ）は回動しないために、１２ｃｍ用のストッパ（３１Ｌ）（３１Ｒ）のロックは解除されない。従って、８ｃｍ用のストッパ（３２Ｌ）（３２Ｒ）は移動せずに、８ｃｍＣＤの搬送が阻止される。
【００４０】
尚、使用者により、８ｃｍＣＤがセンターをずれて挿入されても、左右の１２ｃｍ用のストッパ（３１Ｌ）（３１Ｒ）が同時にロック解除にならないと移動しない８ｃｍ用のストッパ（３２Ｌ）（３２Ｒ）のために、８ｃｍＣＤがセンターに移動させられ、図２６，２７の状態になる。
【００４１】
搬送されるＣＤが１２ｃｍＣＤの場合について説明する。１２ｃｍＣＤが所定距離搬送されると、後部の光センサ（２３）がＯＮになる（Ｓ２３）。更に１２ｃｍＣＤの搬送が進むと、図３０，３１に示す如く、１２ｃｍＣＤが８ｃｍ用のストッパ（３２Ｌ）（３２Ｒ）を押す。これにより、前述のとおり、８ｃｍ用のストッパ（３２Ｌ）（３２Ｒ）が回動して、１２ｃｍ用のストッパ（３１Ｌ）（３１Ｒ）のロックが解除され、図３２，３３、及び図３４，３５に示す如く、１２ｃｍ用のストッパ（３１Ｌ）（３１Ｒ）が回動する。
【００４２】
このとき、左方の１２ｃｍ用のストッパ（３１Ｌ）に軸支されている８ｃｍスイッチ用のレバー（３４）もその軸孔（３４ａ）ごと左方の１２ｃｍ用のストッパ（３１Ｌ）と共に回動するために、８ｃｍスイッチ用のレバー（３４）によって８ｃｍ用のスイッチ（３６）がＯＮにされることはない。
【００４３】
１２ｃｍ用のストッパ（３１Ｌ）（３１Ｒ）が図３４，３５の状態まで回動すると、１２ｃｍ用のストッパ（３１Ｌ）（３１Ｒ）が１２ｃｍ用のスイッチ（３７）をＯＮに切り替わる（Ｓ２８のＹ）。これにより、制御回路（２）は挿入されたものが１２ｃｍＣＤであると認識して、ＣＤ用ターンテーブルのモータ（７６）を回転させるゲインを１２ｃｍ用に設定する（Ｓ２９）。また、ローディング終了と判断しローラの回転を停止させ（Ｓ２６）、ステップＳ２７に進む。
【００４４】
尚、使用者により、１２ｃｍＣＤがセンターをずれて挿入されても、左右の１２ｃｍ用のストッパ（３１Ｌ）（３１Ｒ）が同時にロック解除にならないと移動しないために、１２ｃｍＣＤがセンターに移動させられ、図３０，３１の状態になる。
【００４５】
ステップＳ２７に於いて、即ち、ＣＤのローディングが終了すると、制御回路（２）は、前述の如く、ＣＤモードでクランプ部（４０）を制御し、図３６の如く、再生部（７０）を反時計方向に回動させて、ＣＤ用のターンテーブル（７２）をＣＤの中心に移動させ、図３８の如く、ＣＤをクランプさせる（Ｓ２７）。
【００４６】
図４２に於いて、制御回路（２）はＥＪＥＣＴ要求の信号を受信すると（Ｓ３０）、前述の如く、ＣＤモードでクランプ部（４０）を制御し、ＣＤのクランプを解除させる（Ｓ３１）。そして、制御回路（２）は、図３９に示す如く、後部の光センサ（２３）がＯＦＦになるまで、ステップＳ２２とは逆の方向にローラ（１１）を回転させる（Ｓ３２〜Ｓ３４）。
【００４７】
【発明の効果】
本発明のＭＤの搬送時は、ＭＤの幅より長いローラの一方のみを移動させることにより、ローラがＭＤに圧接される。従来のようにローラの両方を移送させる必要がなく、本発明は小型にすることができる。
【００４８】
また、ローラをＭＤ／ＣＤ共用にする場合、車載用の１ＤＩＮオーディオサイズのように幅が狭い装置にするには、ＭＤの挿入は中央ではなく、端になる。この場合、ローラの中央部が細くなっていても、ローラはＭＤの両端に圧接され、支障なくＭＤの搬送を行うことができる。
【図面の簡単な説明】
【図１】本発明の要部を示すブロック図である。
【図２】図１のメカの平面図である。
【図３】メカの正面図である。
【図４】メカの右側面図である。
【図５】ディスクの挿入位置を示す平面図である。
【図６】ディスクの挿入位置を示す右側面図である。
【図７】ディスクの挿入位置を示す左側面図である。
【図８】ローラの駆動部を示す正面図である。
【図９】ローラの駆動部を示す左側面図である。
【図１０】ローラの左方の保持方法を示す部分左側面図である。
【図１１】ＭＤ用の後方のスイッチを示す左側面図である。
【図１２】ＭＤ引き込みの第１の状態を示す平面図である。
【図１３】ＭＤ引き込みの第２の状態を示す平面図である。
【図１４】ＭＤ引き込みの第２の状態を示す左側面図である。
【図１５】図１４の要部の部分拡大図である。
【図１６】ＭＤ引き込みの第３の状態を示す平面図である。
【図１７】ＭＤ引き込みの第３の状態を示す左側面図である。
【図１８】図１７の要部の詳細図である。
【図１９】ＭＤ引き込みの終了状態を示す平面図である。
【図２０】ＭＤ引き込みの終了状態を示す正面図である。
【図２１】ＭＤ引き込みの終了状態を示す左側面図である。
【図２２】ＭＤのクランプ状態を示す左側面図である。
【図２３】ＭＤの排出状態を示す左側面図である。
【図２４】ＣＤ引き込みの第１の状態を示す平面図である。
【図２５】ＣＤ引き込みの第２の状態を示す右側面図である。
【図２６】８ｃｍＣＤ引き込みの第３の状態を示す平面図である。
【図２７】図２６の要部を示す詳細図である。
【図２８】８ｃｍＣＤ引き込みの終了状態を示す平面図である。
【図２９】図２８の要部を示す詳細図である。
【図３０】１２ｃｍＣＤ引き込みの第３の状態を示す平面図である。
【図３１】図３０の要部を示す詳細図である。
【図３２】１２ｃｍＣＤ引き込みの第４の状態を示す平面図である。
【図３３】図３２の要部を示す詳細図である。
【図３４】１２ｃｍＣＤ引き込みの終了状態を示す平面図である。
【図３５】図３４の要部を示す詳細図である。
【図３６】ＣＤ用のターンテーブルの移動を示す平面図である。
【図３７】スライド板のスライド機構を示す平面図である。
【図３８】１２ｃｍＣＤのクランプ状態を示す右側面図である。
【図３９】ＣＤの排出状態を示す平面図である。
【図４０】ＣＤ用のターンテーブルの移動理由を示す平面図である。
【図４１】本発明の主要な動作を示すフローチャートである。
【図４２】本発明の主要な動作を示すフローチャートである。
【図４３】従来のディスク判別に於ける光センサの位置を示す平面図である。
【図４４】従来のディスク判別に於ける光センサの位置を示す側面図である。
【符号の説明】
１        メカ
２        制御回路
１０      ローディング部
１１      ローラ
１１１    ローラの軸
１１２    ローラのゴム部
１２      ＭＤトレイ
１３      ＣＤガイド
１４      ローラ保持金具
１４ａ    ローラ保持金具の軸孔（揺動の中心）
１４ｂ    ローラ保持金具の軸孔（ローラ左）
１４ｃ    ローラ保持金具の軸孔（ローラ右）
１４ｄ    ローラ保持金具の軸孔（ＭＤトレイ左）
１４ｅ    ローラ保持金具の軸孔（ＭＤトレイ右）
１５Ｌ    左側のローラ用バネ
１５Ｒ    右側のローラ用バネ
１６      押さえバネ
１７      ローラ用の駆動部
１７１    ローラ用の駆動部のモータ
１７２    ローラ用の駆動部の歯車部
１７３    ローラ用の駆動部のベルト
１８      ＭＤ用の前部のスイッチ
１９      ＭＤ用の後部のスイッチ
２０      レバー（前部のスイッチ）
２１      レバー（前部のスイッチ）
２２      ＣＤ用の前部の光センサ
２３      ＣＤ用の後部の光センサ
３０      ストッパ用の取付金具
３１Ｌ    １２ｃｍ用のストッパ（左側）
３１Ｌａ  １２ｃｍ用のストッパ（左側）の軸孔
３１Ｒ    １２ｃｍ用のストッパ（右側）
３１Ｒａ  １２ｃｍ用のストッパ（右側）の軸孔
３２Ｌ    ８ｃｍ用のストッパ（左側）
３２Ｌａ  ８ｃｍ用のストッパ（左側）の軸孔
３２Ｌｂ  ８ｃｍ用のストッパ（左側）のロックツメ
３２Ｌｃ  ８ｃｍ用のストッパ（左側）の凸部
３２Ｒ    ８ｃｍ用のストッパ（右側）
３２Ｒａ  ８ｃｍ用のストッパ（右側）の軸孔
３２Ｒｂ  ８ｃｍ用のストッパ（右側）のロックツメ
３２Ｒｃ  ８ｃｍ用のストッパ（右側）の凸部
３３Ｌ    ストッパ用のバネ（左側）
３３Ｒ    ストッパ用のバネ（右側）
３４      ８ｃｍスイッチ用のレバー
３４ａ    ８ｃｍスイッチ用のレバーの軸孔
３５      スイッチ用のバネ
３６      ８ｃｍ用のスイッチ
３７      １２ｃｍ用のスイッチ
４０      クランプ部
４１      クランプ部のモータ
４２      クランプ部の歯車部
４３      クランプ部の変動部
４３１    クランプ部の変動部のドラム
４４      クランク機構
４４１    クランク機構のスライド板
４４２    クランク機構のリンク
７０      再生部
７１      ＭＤ用のターンテーブル
７２      ＣＤ用のターンテーブル
７３      ヘッド
７４      再生部の軸孔
７５      ＭＤ用のターンテーブルのモータ
７６      ＣＤ用のターンテーブルのモータ
【図１】
0003619718.tif 000002
【図２】
0003619718.tif 000003
【図３】
0003619718.tif 000004
【図４】
0003619718.tif 000005
【図５】
0003619718.tif 000006
【図６】
0003619718.tif 000007
【図７】
0003619718.tif 000008
【図８】
0003619718.tif 000009
【図９】
0003619718.tif 000010
【図１０】
0003619718.tif 000011
【図１１】
0003619718.tif 000012
【図１２】
0003619718.tif 000013
【図１３】
0003619718.tif 000014
【図１４】
0003619718.tif 000015
【図１５】
0003619718.tif 000016
【図１６】
0003619718.tif 000017
【図１７】
0003619718.tif 000018
【図１８】
0003619718.tif 000019
【図１９】
0003619718.tif 000020
【図２０】
0003619718.tif 000021
【図２１】
0003619718.tif 000022
【図２２】
0003619718.tif 000023
【図２３】
0003619718.tif 000024
【図２４】
0003619718.tif 000025
【図２５】
0003619718.tif 000026
【図２６】
0003619718.tif 000027
【図２７】
0003619718.tif 000028
【図２８】
0003619718.tif 000029
【図２９】
0003619718.tif 000030
【図３０】
0003619718.tif 000031
【図３１】
0003619718.tif 000032
【図３２】
0003619718.tif 000033
【図３３】
0003619718.tif 000034
【図３４】
0003619718.tif 000035
【図３５】
0003619718.tif 000036
【図３６】
0003619718.tif 000037
【図３７】
0003619718.tif 000038
【図３８】
0003619718.tif 000039
【図３９】
0003619718.tif 000040
【図４０】
0003619718.tif 000041
【図４１】
0003619718.tif 000042
【図４２】
0003619718.tif 000043
【図４３】
0003619718.tif 000044
【図４４】
0003619718.tif 000045